(57)【要約】【課題】空間的形態を自由に変更できる架台と、その構成手段たる架台ユニットと、架台が脚柱構造体と一体化された脚柱付き架台とを提供する。【解決手段】軸方向に一定の奥行き幅を持つ多角形の筒状構造を備え、当該多角形の各辺を構成する平板部には連結用の孔を備えた架台ユニット。この架台ユニットを任意の方向に連結して構成した組み立て架台。この組み立て架台の片側面又は両側面に沿って脚柱構造体を構成した脚柱付き組み立て架台。【選択図】  図１２
2008307269.tif 000002
【特許請求の範囲】
【請求項１】
軸方向に一定の奥行き幅を持つ多角形の筒状構造を備えると共に、当該多角形の各辺を構成する平板部の内、少なくとも一部の辺を構成する平板部が他の架台ユニットと組付け又は連結可能に構成されていることを特徴とする架台ユニット。
【請求項２】
前記架台ユニットの多角形が、正方形又は任意の縦横比を有する方形であることを特徴とする請求項１に記載の架台ユニット。
【請求項３】
前記架台ユニットのサイズが以下の（１）及び／又は（２）であることを特徴とする請求項１又は請求項２に記載の架台ユニット。
（１）奥行き幅が１０ｃｍ〜５０ｃｍの範囲内である。
（２）多角形の各辺を構成する平板部の長さが２０ｃｍ〜５０ｃｍの範囲内である。
【請求項４】
前記多角形の架台ユニットにおける各角部を円弧状に曲げて形成していることを特徴とする請求項１〜請求項３のいずれかに記載の架台ユニット。
【請求項５】
前記筒状構造の架台ユニットの内周部あるいは開口部には、任意の物品を載置し、収容し、あるいは係止するための構造部材が付設されていることを特徴とする請求項１〜請求項４のいずれかに記載の架台ユニット。
【請求項６】
請求項１〜請求項５のいずれかに記載の架台ユニットを、左右方向及び／又は上下方向に、あるいは更に奥行き方向に複数組付け又は連結することにより構成されたものであることを特徴とする組み立て架台。
【請求項７】
前記組み立て架台が実験台上に構成されるものであることを特徴とする請求項６に記載の組み立て架台。
【請求項８】
請求項６又は請求項７に記載の組み立て架台における奥行き方向の片側面又は両側面に沿って、パイプ材又は棒材を縦横に組み付けてなる脚柱構造体を構成したことを特徴とする脚柱付き組み立て架台。
【請求項９】
前記脚柱付き組み立て架台における架台ユニットの全部又は一部が請求項４に記載の架台ユニットである場合において、脚柱構造体のパイプ材又は棒材であって組み立て架台の奥行き方向へ設けるものを、前記架台ユニットの円弧状の角部間の隙間に挿通していることを特徴とする請求項８に記載の脚柱付き組み立て架台。
【発明の詳細な説明】
【技術分野】
【０００１】
本発明は、架台ユニット、組み立て架台及び脚柱付き組み立て架台に関する。更に詳しくは、本発明は、自由な構成形態で組み立てることができ、しかも任意の物品を載置、収容、あるいは係止するための構造部材を追加的に付設できる架台ユニットと、このような架台ユニットを用いて、実験台上その他の任意の場所でのスペース設計に合致した最適の空間形態に組み立てた組み立て架台と、多様な機能及び用途を持つ脚柱構造体を前記組み立て架台に対して一体的に構成した脚柱付き組み立て架台とに関する。
【背景技術】
【０００２】
例えば、各種の技術分野に関わる研究室や実験室の実験台上には、多様な実験器具、実験装置、測定装置、試薬容器、水まわり設備、電気配線の設備及び器具等を、それらのロケーションの安全性や利用上の便宜を考慮した最適の空間位置に設備しておくことが要求される。
【０００３】
そのため、従来から、実験台上等に設置する架台、棚、ラック装置等が種々に提供されている。図１に、既存の典型的な実験台上架台の例を写真により示す。
【特許文献１】特開２００５−２３７４１１号公報  上記の特許文献１は、前後左右の支柱間に高さ位置を変更可能に天板及び棚板を取り付け、棚板上の空間の前面を閉塞してキャビネット状の収納スペースを構成した収納棚、及びそれを備える実験台を開示している。
【特許文献２】特開２００１−７９４２５号公報  上記の特許文献２は、実験台上の棚部材の上面に載置された実験用機器類をベルトで拘束でき、かつ、地震等の際に液体クロマトグラフ分析装置等からオーバーフローした液体から他の実験機器類を保護するための漏洩液体処理装置を備えた、実験用機器類載置棚装置を開示している。
【特許文献３】特開平８−２３８１３１号公報  上記の特許文献３は、実験台やそれに類似する作業台、陳列台などの脚フレームとして利用でき、それぞれ所定の構成を供えた脚部材、横部材、側面板を簡易かつ強固に連結してフレーム構成することが可能な、実験台などのフレーム装置を開示している。
【発明の開示】
【発明が解決しようとする課題】
【０００４】
しかし、上記の特許文献１〜特許文献３に開示された収納棚、実験用機器類載置棚装置あるいはフレーム装置では、予め全体の空間的形態やサイズが決まっており、あるいは、少なくとも脚部材やフレーム等によって全体の空間的形態が規定されている。更に、棚装置に形成される内部スペースの構成も予め規定されている。
【０００５】
ところが、実際の研究室や実験室においては、部屋の広さや、固定構造物の配置等に基づき、それぞれ固有のスペースレイアウト上の事情がある。そのため、予め全体の空間的形態やサイズが一律に決まった棚やラックは利用し難い。又、研究室等の研究目的がどのような技術分野に関わるかによって、使用する実験器具、実験装置、測定装置等の種類、寸法、空間配置上の要求等が全く異なるため、ラックスペースの構成が予め規定されている棚やラックは利用し難い。
【０００６】
更に、研究室や実験室の現場においては、パイプ材又は棒材を縦横に組み付けてなる脚柱構造体を設置しておけば、これに多様な機能及び用途を持たせることができるため便利である。しかも脚柱構造体が棚装置と一体的に構成されていれば極めて便利である。しかし、上記特許文献１〜特許文献３に開示されたものも含めて、従来の収納棚等では、このような脚柱付きの棚装置は提案されていない。
【０００７】
そこで本発明は、設備場所におけるスペースレイアウト上の制約事情に対応して全体の空間的形態を自由に変更できる架台とその構成手段を提供し、その架台における内部ラックスペースの構成を自由に変更・追加できる手段を提供し、更にこのような架台が脚柱構造体と一体的に構成された脚柱付き架台を提供することを、解決すべき技術的課題とする。
【課題を解決するための手段】
【０００８】
（第１発明）
上記課題を解決するための本願第１発明の構成は、軸方向に一定の奥行き幅を持つ多角形の筒状構造を備えると共に、当該多角形の各辺を構成する平板部の内、少なくとも一部の辺を構成する平板部が他の架台ユニットと組付け又は連結可能に構成されている、架台ユニットである。
【０００９】
この第１発明において、「平板部が他の架台ユニットと連結可能に構成されている」とは、上記の平板部自体が適宜な連結手段を備え、あるいは平板部同士が既存の適宜な連結具を用いて連結できることをいう。上記の連結手段の内容は限定されないが、例えば、リベットやピン等で連結するための透孔や、ネジで連結するためのネジ孔等を平板部に設けることが例示される。平板部同士の接合面の各一方に、互いに嵌合できる凹溝と凸状の各一方を、対応する部位及び方向において形成することも例示できる。上記した「既存の適宜な連結具」とは、例えば隣接する平板部同士を連結状態に結び付けるクランプ、留め具、紐状の部材、接着材等をいう。次に、「平板部が他の架台ユニットと組付け可能に構成されている」とは、架台ユニット同士が上下方向や左右方向に隣接して安定的に配列可能であることをいう。このような意味で組付け可能な架台ユニットは、特に相互連結されていなくても、後述の組み立て架台を構成できる。
【００１０】
（第２発明）
上記課題を解決するための本願第２発明の構成は、前記第１発明に係る架台ユニットの多角形が、正方形又は任意の縦横比を有する方形である、架台ユニットである。
【００１１】
（第３発明）
上記課題を解決するための本願第３発明の構成は、前記第１発明又は第２発明に係る架台ユニットのサイズが以下の（４）及び／又は（５）である、架台ユニットである。
（４）奥行き幅が１０ｃｍ〜５０ｃｍの範囲内である。
（５）多角形の各辺を構成する平板部の長さが２０ｃｍ〜５０ｃｍの範囲内である。
【００１２】
（第４発明）
上記課題を解決するための本願第４発明の構成は、前記第１発明〜第３発明のいずれかに係る多角形の架台ユニットにおける各角部を円弧状に曲げて形成している、架台ユニットである。
【００１３】
（第５発明）
上記課題を解決するための本願第５発明の構成は、前記第１発明〜第４発明のいずれかに係る筒状構造の架台ユニットの内周部あるいは開口部には、任意の物品を載置し、収容し、あるいは係止するための構造部材が付設されている、架台ユニットである。
【００１４】
（第６発明）
上記課題を解決するための本願第６発明の構成は、第１発明〜第５発明のいずれかに係る架台ユニットを、左右方向及び／又は上下方向に、あるいは更に奥行き方向に複数組付け又は連結することにより構成されたものである、組み立て架台である。
【００１５】
（第７発明）
上記課題を解決するための本願第７発明の構成は、前記第６発明に係る組み立て架台が実験台上に構成されるものである、組み立て架台である。
【００１６】
（第８発明）
上記課題を解決するための本願第８発明の構成は、第６発明又は第７発明に係る組み立て架台における奥行き方向の片側面又は両側面に沿って、パイプ材又は棒材を縦横に組み付けてなる脚柱構造体を構成した、脚柱付き組み立て架台である。
【００１７】
（第９発明）
上記課題を解決するための本願第９発明の構成は、前記第８発明に係る脚柱付き組み立て架台における架台ユニットの全部又は一部が第４発明に係る架台ユニットである場合において、脚柱構造体のパイプ材又は棒材であって組み立て架台の奥行き方向へ設けるものを、前記架台ユニットの円弧状の角部間の隙間に挿通している、脚柱付き組み立て架台である。
【発明の効果】
【００１８】
第１発明〜第５発明の架台ユニットの複数もしくは多数を、相互に組付け又は連結することにより組み立てれば、実験室や研究室あるいはその他の任意の設置場所において、それぞれのスペースレイアウト上の事情に対応した空間的形態の組み立て架台を自由に構成することができる。なお、架台ユニットを左右方向及び／又は上下方向に組付け又は連結できる他、架台ユニットをその奥行き方向に組付け又は連結することも、容易である。架台ユニットをその奥行き方向に連結する場合、例えば、架台ユニットの平板部に連結用の孔を設けたもとで、適宜な結合用の治具（例えば結合用ステー等）とピンやボルト等の締結具を利用すれば、このような連結も容易である。
【００１９】
又、必要に応じて第５発明の架台ユニットを利用することにより、その組み立て架台における架台ユニット内部のラックスペースの構成を、任意の物品を載置し、収容し、あるいは係止することができるように、自由に変更・追加できる。
【００２０】
第６発明及び第７発明によって、それぞれの実験室や研究室等に固有のスペースレイアウト事情に最適に対応した、左右方向／上下方向／奥行き方向に自由な組み立て形態及びサイズを持つ組み立て架台（棚装置、ラック装置）が提供される。
【００２１】
第８発明及び第９発明によって、多様な機能及び用途を持つ脚柱構造体と、組み立て架台とが一体的に構成された脚柱付き架台が提供される。
【発明を実施するための最良の形態】
【００２２】
次に、本発明（第１発明〜第９発明）を実施するための形態を、その最良の形態を含めて説明する。
【００２３】
〔架台ユニット〕
本発明に係る架台ユニットは、硬質の材料からなり、軸方向に一定の奥行き幅を持つ多角形の筒状構造体である。「硬質の材料」の種類は限定されず、例えば、スチールや硬質プラスチック等も使用できるが、軽量性、耐薬品性、耐熱性等を総合的に考慮すると、アルミニウム（特に、アルマイト加工等の表面処理を施したもの）が好ましい。
【００２４】
架台ユニットのサイズには限定がないが、奥行き幅は例えば１０ｃｍ〜５０ｃｍ程度が好ましく、多角形の各辺を構成する平板部の長さ（周方向の長さ）は例えば２０ｃｍ〜５０ｃｍ程度が好ましい。架台ユニットの筒状構造を構成する壁部の厚さは、強度設計等に従い自由に設定すれば良い。
【００２５】
架台ユニットの筒状構造における「多角形」とは、三角形でも良く、四角形（方形）や、あるいはそれ以上の、例えば六角形等であっても良い。これらの多角形は、一般的には正多角形が好ましいが、必要な場合には不規則な多角形筒状の架台ユニットを使用することもできる。特に好ましい架台ユニットは、図２に例示するような正方形筒状の架台ユニット１である（便宜上、筒状構造の壁部の厚さは無視して図示する）。これとは別に、任意の縦横比を有する方形の筒状架台ユニットを利用できる場合もある。
【００２６】
多角形筒状の架台ユニットの各辺を構成する平板部には、全部又は一部の辺を構成する平板部において、前記したように他の架台ユニットと組付け又は連結可能に構成されている。図２の上部に示す架台ユニット１において、前記連結手段としての連結孔２の形成例を図示する。図２における他の架台ユニット１では連結孔２の図示を省略する。又、後述する図３以降の各図でも、連結孔２の図示を省略することがある。このような連結孔は、リベットやピン等で連結するための単なる透孔であっても良く、ネジで連結するためのネジ孔であっても良い。連結孔は主として架台ユニットの相互連結のために用いるが、室内の天井部、側壁部、支柱等に架台ユニット（後述する組み立て架台の一部を構成する架台ユニット）を連結するために用いることもできる。連結孔に代えて、前記したように架台ユニットを互いに嵌合できる凹溝と凸状の各一方を隣接する架台ユニットの接合面に形成しても良いし、このような連結手段を形成することなく、前記した既存の適宜な連結具を利用することもできる。更に、架台ユニット同士を特に連結することなく、単に組付けることもできる。
【００２７】
連結孔を架台ユニットの相互連結のために用いる場合、図２に示すように、左右方向や上下方向に隣接する架台ユニット同士は、ピンやネジ等の締結具を互いの連結孔に通して、直接に連結できる。奥行き方向（筒状架台ユニットの軸方向）に隣接する架台ユニット同士は、例えば架台ユニットとの連結用の連結孔を好適な部位に備えるステー金具等を奥行き方向に差し渡して設けることにより連結できるし、筒状架台ユニットの開口部と嵌合できるフランジを表裏両面に備えたリング体や板状体を介在させて連結することもできる。
【００２８】
多角形の架台ユニットにおける各角部は、直線的に屈曲した形状とすることもできるが、円弧状に曲げて形成する（いわゆる「アール」を持たせる）ことが特に好ましい。アールを持たせることの直接のメリットは、多角形筒状構造体としての架台ユニットの加工性と強度の向上であるが、後述するように、組み立てた架台ユニット間に隙間を形成できるため、そこにパイプ等を通したり、配線や配管を行ったりすることができるというメリットもある。
【００２９】
〔架台ユニットに付設する構造部材〕
筒状構造の架台ユニットの内周部あるいは開口部には、図３〜図９に例示するように、任意の物品を載置し、収容し、あるいは係止するための多様な構造部材を付設することができる。
【００３０】
図３はＰＣラックの付設例の分解斜視図である。架台ユニット１の上面部には取り付け孔３を設けている。この取り付け孔３は、図示省略の前記連結孔２とは別途に設けることができる。これらの取り付け孔３には、支柱４の上端部が適宜な方式で嵌合・固定されており、それらの支柱４の下端部によってラック板５が吊り下げ状態に支持されている。架台ユニット１の奥側の開口部は、板体６を嵌め込むことにより、閉鎖される。以上の構成により、架台ユニット１の内部にＰＣラックが構成される。
【００３１】
図４は消耗品ラックの付設例の分解斜視図である。架台ユニット１の内部にはラックボックス７が設けられる。このラックボックス７は、架台ユニット１の表側の開口部に位置する表蓋８の裏面に、上端が開口した仕切り付きの箱体９を形成したものである。箱体９の下方の所定部からは、架台ユニット１の両側の側壁部に向かって支持棒１０が突出しており、この支持棒１０が架台ユニット１の両側の側壁部の孔に対して回転可能に嵌合されている。支持棒１０はラックボックス７の重心を考慮した部位に設けられており、ラックボックス７が架台ユニット１の内部に収納された状態では、その重心は支持棒１０の図上左側にある。ラックボックス７は、架台ユニット１の内部から手前側への回転動作により引き出すことができる。その回転動作は、箱体９の下部が架台ユニット１の底辺部に当たることにより、一定の回転範囲で停止する。そして、その停止位置では、ラックボックス７の重心は支持棒１０の図上右側にある。
【００３２】
図５は消耗品ケースあるいは本棚（小型書籍用）の付設例の分解斜視図である。架台ユニット１の両側の側壁部の内側面には、水平方向に複数の嵌合溝１１を設けた１対の棚板支持部材１２がネジ止め等により取り付けられている。そして、対向する棚板支持部材１２間には、それらの嵌合溝１１に端部を嵌め込むことにより、適当な段数となるように棚板１３が設置されている。
【００３３】
図６は本棚（大型書籍用）の付設例の分解斜視図である。架台ユニット１の内部の底壁部上には、台板１４を４本の支柱１５により支持してなるテーブル状の棚板台１６が載置されている。棚板台１６には、通常の本棚と同様に適当な数のパーティション１７を立設しても良い。
【００３４】
図７は恒温槽の付設例の分解斜視図である。図７に示すように架台ユニット１の内部に恒温槽１８が収容され、その前後側の架台ユニット１の開口部は閉鎖板１９によって密閉可能に構成される。恒温槽１８自体は、公知又は周知の技術的事項に従って適宜に構成することができる。
【００３５】
図８は器具ラックの付設例の分解斜視図である。図８（ａ）に示すように、架台ユニット１の両側の側壁部間にわたり、適当な段数となるように、複数の傾斜板２０が架設されている。傾斜板２０の端部を架台ユニット１の側壁部に固定する手段は、例えばネジ止め、接着等、限定されない。図８（ａ）の中央縦断面図である図８（ｂ）に示すように、傾斜板２０の傾斜方向側への下端部にはストッパ２１が立設されており、器具ラック上の物品の滑落を防止する。又、傾斜板２０上には、適宜な位置にパーティション２２を立設している。
【００３６】
図９は培養器の付設例の分解斜視図である。架台ユニット１の内部には、その内周部に緊密に内挿できるサイズの筒状断熱材２３が取り付けられている。筒状断熱材２３の手前側の開口部には、架台ユニット１の手前側の開口部よりもややサイズの大きいストッパフランジ２４が形成されており、筒状断熱材２３は、ストッパフランジ２４が架台ユニット１の手前側の開口部に当たって停止する部位まで、架台ユニット１の内部に緊密に内挿されている。この筒状断熱材２３の両側の側壁部にはペルチエ素子２５が設けられている。そして、架台ユニット１の前後側の開口部は、それぞれ２層の断熱材からなる閉鎖部材２６によって密閉されている。手前側の閉鎖部材２６には、ガラス製等の覗き窓２７が形成されている。
【００３７】
〔組み立て架台〕
本発明に係る組み立て架台は、種々の構造部材を付設したものを含めて、上記いずれかの架台ユニットを複数ないしは多数、左右方向及び／又は上下方向に、あるいは更に奥行き方向に複数組付け又は連結することにより構成されたものである。これらの場合における組付け又は連結の態様については、前記した通りである。このような組み立て架台として、実験台上に構成される組み立て架台を代表的に例示することができる。
【００３８】
図１０に実験台上組み立て架台の構成例を示す。この場合、組み立て架台２８は左右方向に４単位、上下方向に２単位の架台ユニット１を連結して構成されている。各架台ユニット１は、図中に文字で表記したように、それぞれが前記した構造部材を付設した架台ユニットである。
【００３９】
図１１に架台ユニット１の連結・脱着による他機器との融合の例を示す。この場合はガスクロマトグラフ装置との融合例である。この組み立て架台２８において、ガスクロマトグラフ装置の機器本体２９の設置部と、プリンタ３０の設置部には架台ユニット１が連結されていない。即ち、架台ユニット１の存在が却って障害になる部位では架台ユニット１を選択的に取り外すことができる。図示された各架台ユニット１は、図中に文字で表記したようにそれぞれが所定の機能を付与され、その結果、全体として組み立て架台２８がガスクロマトグラフ装置と融合した状態となっている。
【００４０】
〔脚柱付き組み立て架台〕
本発明に係る脚柱付き組み立て架台は、上記した組み立て架台における奥行き方向の片側面又は両側面に沿って、パイプ材又は棒材を縦横に組み付けてなる脚柱構造体を構成したものである。
【００４１】
脚柱付き組み立て架台における架台ユニットの全部又は一部が前記した第４発明のような架台ユニットである場合においては、脚柱構造体のパイプ材又は棒材であって組み立て架台の奥行き方向へ設けるものを、前記架台ユニットの円弧状の角部間の隙間に挿通することができる。この隙間を利用して、電気配線や各種流体用の配管等も行うことができる。
【実施例】
【００４２】
以下に本発明の実施例を説明する。本発明の技術的範囲はこれらの実施例によって限定されない。
【００４３】
図１２は本実施例に係る脚柱付き組み立て架台の実施例の写真を示す。実験台あるいは研究用デスク上に、上下方向に２段、左右方向に多数の架台ユニット１を連結して、組み立て架台２８が構成されている。更に、組み立て架台２８における奥行き方向の両側面に沿って、パイプ材３１を縦横に組み付けてなる脚柱構造体３２が構成されている。図１２の要部を拡大した写真である図１３に示すように、パイプ材３１は公知の適宜なクランプ３３によって組み付けられている。
【００４４】
架台ユニット１は、第４発明で前記した、角部を円弧状に曲げて形成しているタイプのものである。そして、脚柱構造体３２を構成するパイプ材３１のうち、組み立て架台２８の奥行き方向へ設けたパイプ材３１ａは、架台ユニットの円弧状の角部間に形成される隙間３４に挿通されて、反対側の脚柱構造体３２に連結されている。
【００４５】
なお、組み立て架台２８を構成する各架台ユニット１には種々の実験等に用いる種々の器具や装置等の物品が載置あるいは収容され、脚柱構造体３２には実験用のビーカーを懸架したり、照明器具を取り付けたりしている。
【産業上の利用可能性】
【００４６】
本発明によって、空間的形態を自由に変更できる架台と、その構成手段たる架台ユニットと提供され、更にこのような架台が脚柱構造体と一体化された脚柱付き架台が提供される。
【図面の簡単な説明】
【００４７】
【図１】既存の実験台上架台の例を示す写真である。
【図２】架台ユニットを示す図である。
【図３】架台ユニットにおける構造部材の付設例を示す図である。
【図４】架台ユニットにおける構造部材の付設例を示す図である。
【図５】架台ユニットにおける構造部材の付設例を示す図である。
【図６】架台ユニットにおける構造部材の付設例を示す図である。
【図７】架台ユニットにおける構造部材の付設例を示す図である。
【図８】架台ユニットにおける構造部材の付設例を示す図である。
【図９】架台ユニットにおける構造部材の付設例を示す図である。
【図１０】実験台上組み立て架台の構成例を示す図である。
【図１１】実験台上組み立て架台の構成例を示す図である。
【図１２】実施例に係る脚柱付き組み立て架台を示す写真である。
【図１３】図１２の要部を拡大した写真である。
【符号の説明】
【００４８】
１              架台ユニット
２              連結孔
３              取り付け孔
４              支柱
５              ラック板
６              板体
７              ラックボックス
８              表蓋
９              箱体
１０            支持棒
１１            嵌合溝
１２            棚板支持部材
１３            棚板
１４            台板
１５            支柱
１６            棚板台
１７            パーティション
１８            恒温槽
１９            閉鎖板
２０            傾斜板
２１            ストッパ
２２            パーティション
２３            筒状断熱材
２４            ストッパフランジ
２５            ペルチエ素子
２６            閉鎖部材
２７            覗き窓
２８            組み立て架台
２９            機器本体
３０            プリンタ
３１、３１ａ    パイプ材
３２            脚柱構造体
３３            クランプ
３４            隙間
【図１】
2008307269.tif 000003
【図２】
2008307269.tif 000004
【図３】
2008307269.tif 000005
【図４】
2008307269.tif 000006
【図５】
2008307269.tif 000007
【図６】
2008307269.tif 000008
【図７】
2008307269.tif 000009
【図８】
2008307269.tif 000010
【図９】
2008307269.tif 000011
【図１０】
2008307269.tif 000012
【図１１】
2008307269.tif 000013
【図１２】
2008307269.tif 000014
【図１３】
2008307269.tif 000015